(57)【要約】直線状に配置されるように方向付けられ、端部と端部が互いに当接する関係になる一対の切妻型の蓋部分と、互いに直線状に配置されるように方向付けられ、切妻型の蓋部分の両側に当接する一対の横方向の蓋部分と、を有する密封された配置に折り畳み可能な折り畳み式密封部。１枚のブランクから各々形成される側壁と、折り畳み式密封部と、スリーブとを有する容器もまた、開示される。スリーブは、複数の通気口を有し、容器の側壁に対して間隔を空けた配置で通気口を配置するためのスペーサーを有する。【選択図】図１
2011518083.tif 000002
【特許請求の範囲】
【請求項１】
一枚のブランクから各々形成される、側壁と、折り畳み式密封部と、スリーブとを備える、容器であって、前記折り畳み式密封部は、前記側壁に隣接する前記ブランクの上縁に隣接して位置し、折り畳まれていない配置において実質的に開口経路を設け、かつ、折り畳まれた配置において実質的に密封された構造を設けるように構成され、前記スリーブは、前記ブランクから延び、前記側壁の外部の周りを包むように構成される、容器。
【請求項２】
前記容器はカップを構成し、前記折り畳み式密封部の反対側に底部をさらに備える、請求項１に記載の容器。
【請求項３】
前記スリーブは、複数の通気口を備え、各々の通気口は、前記容器の前記側壁から所望の距離で前記通気口との間隔を空けるためのスペーサーを備える、請求項１に記載の容器。
【請求項４】
容器のブランクであって、前記ブランクが容器に形成される場合、折り畳み可能な密封部と、側壁部と、前記側壁部の外面に隣接して配置可能なスリーブ部とを有する、折り畳み可能なシート材料から構成される、容器のブランク。
【請求項５】
前記スリーブは、複数の通気口を備え、各々の通気口は、前記容器の前記側壁から所望の距離で前記通気口との間隔を空けるためのスペーサーを備える、請求項４に記載のブランク。
【請求項６】
前記通気口は、前記シート材料から型抜きされる前記スリーブの一部によって規定される開口領域から構成され、前記スペーサーは、型抜きされ、前記スリーブの内面に対して折り重ねられる前記スリーブの一部から構成される、請求項４に記載のブランク。
【請求項７】
容器の外部側壁に隣接して配置するためのスリーブであって、前記スリーブは、内面と外面の両側の間に延びる複数の通気口と、前記スリーブの内面から延び、かつ、前記容器の前記外部側壁から所望の距離で前記スリーブの内面との間隔を空けるように構成される、複数のスペーサーと、を有するシート材料から構成される、スリーブ。
【請求項８】
前記通気口は、前記シート材料から型抜きされる前記スリーブの一部によって規定される開口領域から構成され、前記スペーサーは、型抜きされ、前記スリーブの内面に対して折り重ねられる前記スリーブの一部から構成される、請求項７に記載のスリーブ。
【請求項９】
両方とも１枚のブランクから形成される側壁と、折り畳み式密封部とから構成される、容器であって、前記折り畳み式密封部は、前記側壁に隣接する前記ブランクの端部に隣接して配置され、折り畳まれていない配置において実質的に開口経路を設け、かつ、折り畳まれた配置において実質的に密封された構造を設けるように構成され、前記実質的に密封された構造は、直線状に配置されるように方向付けられ、端部と端部とが互いに当接する関係になる、一対の切妻型の蓋部分と、互いに直線状に配置されるように方向付けられ、前記切妻型の蓋部分の両側に各々当接する、一対の横方向の蓋部分を含む、容器。
【請求項１０】
前記容器はカップを構成し、前記折り畳み式密封部の反対側に底部をさらに備える、請求項９に記載の容器。
【請求項１１】
平面の折り畳まれていない配置における前記ブランクは、長さ、幅、および上縁を有し、複数の長手方向の折り目部分、複数の横方向の折り目部分、および複数の角度を付けた折り目部分を含み、前記長手方向の折り目部分は、各々、前記ブランクの前記長さに対して実質的に平行に方向付けられ、前記ブランクの前記上縁から前記横方向の折り目部分の１つの交差部まで延び、前記横方向の折り目部分は、各々、前記ブランクの前記幅に実質的に平行に方向付けられ、前記角度を付けた折り目部分は、各々、前記ブランクの前記上縁から前記横方向の折り目部分の２つと前記長手方向の折り目部分の１つとの交差部まで対角線上に延びる、請求項９に記載の容器。
【請求項１２】
一対の切妻型の蓋部分と、一対の横方向の蓋部分とから構成される容器の密封部であって、前記切妻型の蓋部分は、直線状に配置されるように方向付けられ、端部と端部とが互いに当接する関係になり、前記横方向の蓋部分は、互いに直線状に配置されるように方向付けられ、前記切妻型の蓋部分の両側に当接する、容器の密封部。
【請求項１３】
シート材料の端部に隣接して規定される折り畳み可能な密封部を有する折り畳み可能なシート材料から構成される、容器のブランクであって、前記折り畳み可能な密封部は、複数の第１の折り目部分と、複数の第２の折り目部分と、複数の第３の折り目部分とを有し、前記第１の折り目部分は、前記シート材料の前記端部から前記第２の折り目部分の１つの交差部まで延び、前記密封部は、前記第１の折り目部分のうち、少なくとも一対の隣接し、間隔を空けている前記第１の折り目部分の間に前記第３の折り目部分をいずれも有さず、前記第３の折り目部分の各々は、前記シート材料の前記端部から前記第２の折り目部分の２つと前記第１の折り目部分の１つとの交差部まで対角線上に延びる、容器のブランク。
【請求項１４】
前記折り畳み可能な密封部は、一対の切妻型の蓋部分と、一対の横方向の蓋部分とを有する蓋を規定するように折り畳み可能であり、前記切妻型の蓋部分は、直線状に配置されるように方向付けられ、端部と端部とが互いに当接する関係になり、前記横方向の蓋部分の各々は、互いに直線状に配置されるように方向付けられ、配置された前記切妻型の蓋部分の両側に当接する、請求項１３に記載のブランク。
【請求項１５】
前記複数の第１の折り目部分は６つの第１の折り目部分から構成され、前記複数の第２の折り目部分は６つの折り目部分から構成され、前記複数の第３の折り目部分は８つの折り目部分から構成される、請求項１３に記載のブランク。
【発明の詳細な説明】
【技術分野】
【０００１】
本開示は容器の分野に関する。より具体的には、本開示は、改良された構造を有する一体化した蓋を提供する折り畳み可能なシート材料から形成される使い捨て容器、および使用者の快適性を向上する容器のためのスリーブ構造に関する。
【背景技術】
【０００２】
密封容器、特に使い捨て飲料カップの構造の改良が望まれている。例えば、コーヒーおよび他の飲料は、通常、カップとこすり合う別個の蓋を有する紙またはプラスチックのカップで販売されている。別個の蓋の使用は、物流および業績の理由のために望ましくない。例えば、別個の蓋の在庫を必要とし、しばしば、それらの蓋は、漏れまたはこぼれることに対して十分な保護を与えることができない。多くの場合において、蓋が取り付けられてもカップ上に完全に固定されないか、または満杯によりこぼれると完全に固定されたままにならず、単にカップを押さえているだけである。カップが落ちた場合には、通常、蓋は外れ、全てではないにしても中身がこぼれる。
【発明の概要】
【発明が解決しようとする課題】
【０００３】
従って、容器、特に紙またはプラスチックカップなどの使い捨て容器の密封に関する改良の必要性が存在する。
【０００４】
さらに、コーヒーなどの販売のために使用される種類のカップなどの使い捨て容器は、通常、３つの構成要素、容器／カップ、蓋および分離しているスリーブを有する。カップについての３つの別々の構成要素の使用は、物流の問題および他の不利益を有する。例えば、同じ量の各々の構成要素の在庫を維持しなければならない。また、しばしば、蓋は離れ落ちるか、または漏れ、様々な問題を有する。また、通常、スリーブは波形の紙板の構造であり、空所を与えることで分離しようとするため、スリーブは改良が望まれる。そのようなスリーブは触れるには熱く、他の不利益を有する。
【０００５】
これに関して、改良が望まれるのは、スリーブの構造のみだけではなく、カップ／容器、蓋を含む実質的に単一のカップまたは他の容器であり、スリーブが互いに一体化するものである。
【課題を解決するための手段】
【０００６】
上記および他の必要性は折り畳み式密封部によって満たされる。密封された配置に折り畳まれる場合、蓋構造は、直線状に配置されるように方向付けられ、端部と端部とが互いに当接する関係になる、一対の切妻型の蓋部分と、互いに直線状に配置されるように方向付けられ、切妻型の蓋部分の両側に当接する、一対の横方向の蓋部分とを含むように形成される。
【０００７】
折り畳み式密封部は特に容器のための折り畳み式の蓋を設けるのに適切であり、密封部が折り畳まれない場合、容器の内部を利用でき、密封部が密封された配置に折り畳まれる場合、密封部は容器の内部を実質的に囲む。
【０００８】
一実施形態において、容器は、両方とも１枚のブランクから形成される側壁と、折り畳み式密封部を備えるように与えられる。折り畳み式密封部は、側壁に隣接するブランクの端部に隣接して配置され、折り畳まれていない配置において実質的に開口経路を設け、かつ、折り畳まれた配置において実質的に密封された構造を設けるように構成される。密封された構造は、直線状に配置されるように方向付けられ、端部と端部とが互いに当接する関係になる、一対の切妻型の蓋部分と、互いに直線状に配置されるように方向付けられ、切妻型の蓋部分の両側と当接する、一対の横方向の蓋部分とを備える。
【０００９】
本開示の別の態様において、容器のブランクが提供される。ブランクは、シート材料の端部に隣接して規定される折り畳み可能な密封部を有する折り畳み可能なシート材料を含む。折り畳み可能な密封部は、複数の第１の折り目部分と、複数の第２の折り目部分と、複数の第３の折り目部分とを有する。第１の折り目部分は、シート材料の端部から第２の折り目部分の１つの交差部まで延び、密封部は、第１の折り目部分のうち、少なくとも一対の隣接し、間隔を空けている第１の折り目部分の間に第３の折り目部分をいずれも有さない。第３の折り目部分の各々は、シート材料の端部から第２の折り目部分の２つと第１の折り目部分の１つとの交差部まで対角線上に延びる。
【００１０】
さらなる態様において、本開示は、１枚のブランクから各々形成される側壁と、折り畳み式密封部と、スリーブとを備える容器に関する。折り畳み式密封部は、側壁に隣接するブランクの上縁に隣接して配置され、折り畳まれていない配置において実質的に開口経路を設け、かつ、折り畳まれた配置において実質的に密封した構造を設けるように構成される。スリーブはブランクから延び、側壁の外部の周りを包むように構成される。
【００１１】
本開示のさらに別の態様において、スリーブは、内面と外面の両側の間に延びる複数の通気口を有するシート材料から構成されるように与えられる。複数のスペーサーはスリーブの内面から延び、容器の外部の側壁から所望の距離でスリーブの内面と間隔を空けている。これは有利には、使用者に快適な温度でスリーブを維持するために、側壁から熱的に分離され、空気循環を促進する把持面を与える。
【００１２】
本開示のさらなる利点は、図面と併せて考慮される場合、詳細な説明に対する参照により明らかになり、詳細をより明らかに示すためにスケールは正確ではなく、いくつかの図面にわたって同じ参照番号は同じ要素を含む。
【図面の簡単な説明】
【００１３】
【図１】図１は、密封された状態で示される本開示の好ましい実施形態に係る容器の斜視図である。
【図２】図２は、図１の容器の側壁および蓋を提供するためのブランクである。
【図３】図３は、図１の容器の底部を提供するためのブランクである。
【図４】図４は、上側が開いた状態で最初に形成される容器を示す。
【図５】図５は、上側が閉じた状態を提供するための図１の容器の蓋を折り畳む工程を示す。
【図６】図６は、上側が閉じた状態を提供するための図１の容器の蓋を折り畳む工程を示す。
【図７】図７は、上側が閉じた状態を提供するための図１の容器の蓋を折り畳む工程を示す。
【図８】図８は、上側が閉じた状態を提供するための図１の容器の蓋を折り畳む工程を示す。
【図９】図９は、閉じた状態の図１の容器の蓋の両側の側面図である。
【図１０】図１０は、閉じた状態の図１の容器の蓋の両側の側面図である。
【図１１】図１１は、本開示の別の実施形態に係る外側のスリーブを有する図１のカップの斜視図である。
【図１２】図１２は、好ましいスリーブの構成の斜視図である。
【図１３】図１３は、本開示に係る所望の折り畳み式密封部およびスリーブを有するカップを提供するためのブランクを示す。
【発明を実施するための形態】
【００１４】
最初に図１〜１０を参照して、本開示は、一態様において、一枚のブランク１６（図２）から形成される側壁１２および折り畳み式密封部すなわち蓋１４の両方を有する容器１０に関する。スリーブ構造に関する本開示の別の態様は、図１１〜１３に関連して記載される。
【００１５】
（図１〜１０）
側壁１２はまた、蓋１４の反対側に必要とされる底部または他の密封面を提供するために使用され得る。しかしながら、垂直方向において容器１０を支持する底部１８を容器１０に設けるために、底部１８を設けるための別のブランク２０を使用することが好ましい。底部１８を形成するためのブランク２０または他の構造が、単一のブランクから構成される容器を有するようにブランク１６とともに備えられてもよいことも理解されるだろう。同様に、複数のブランク部分が使用され、結合されてもよい。さらに、使い捨て容器を提供する好ましい実施形態と関連して記載されるが、代替として、容器は再利用可能であってもよいことは理解されるだろう。
【００１６】
図２を参照して、ブランク１６は、紙カップの製造において従来的に使用される種類の板紙材料などの折り畳み可能なシート材料から構成される一枚のブランクである。ブランク１６は、プラスチックカップを作製するために使用される種類のプラスチックを含む、他のシート材料から構成されてもよい。本明細書に記載されるブランク１６は、飲料カップの形状で容器１０を作製するように構成される。しかしながら、容器１０（およびそれによるブランク１６）は他の形状でもよく、折り畳み式密封部１４の所望の構成をさらに提供してもよいことは理解されるだろう。例えば、容器１０は、側壁がほぼ正方形または長方形の構成を与えるように構成されてもよい。容器は、消耗品および非消耗品を供給し、かつ保存することなどの様々な使用に適するようにしてもよい。
【００１７】
側壁１２がほぼ先細状の円筒形構造を設けるような容器１０を与えるために、ブランク１６は、底縁２２、上縁２４、および一対の対向する側端２６および２８を有するように成形される。好ましくは、底縁２２および上縁２４は上方へ湾曲している。つまり、底縁２２は上縁２４の方へ湾曲しており、上縁２４は、底縁２２から離れて同様に湾曲し、かつ底縁２２に対して平行である。側端２６および２８は直線状であり、底縁２２の各々の端部から上縁２４まで延びる。しかしながら、底縁２２の長さは上縁２４の長さより短く、その結果、側端２６および２８は平行ではない。従って、ブランク１６を容器１０に形成する場合に側端２６および２８が重なると、側壁１２は、形状が先細状の円筒形のようになる。ブランク１６上の破線３０は、ブランクが円錐形に巻かれるため、反対側で重なる領域を示す。望まれる場合、側端２６と線３０との間に画定される領域はまた、重なっている部分を一緒に密封するために糊または接着剤を含んでもよい。しかしながら、これに関して、側端２６および２８は、従来のカップ製造技術および機器を用いて結合され、密封されてもよいことは理解されるだろう。
【００１８】
所望の折り畳み式密封部すなわち蓋１４を提供するために、上縁２４に隣接するブランク１６の部分は、ほぼ縦方向の折り目部分３２ａ〜３２ｆ、ほぼ横方向の折り目部分３４ａ〜３４ｆ、および角度をつけた折り目部分３６ａ〜３６ｈを含むように構成される。好ましくは、本明細書に記載される折り目部分は、紙板または他のシート材料のブランクを作製するために従来的に使用される種類の自動機械を用いて形成され、その後、容器１６は、ブランクを容器に加工するために従来的に使用される種類の自動機械を用いて形成される。
【００１９】
折り目部分３２ａ〜３２ｆ、３４ａ〜３４ｆ、および３６ａ〜３６ｈは、対向し、かつ実質的に横方向の蓋部分３８ａ〜３８ｂならびに横方向の蓋部分３８ａと３８ｂとの間に位置する、対向し、かつ実質的に切妻型の蓋部分４０ａ〜４０ｂを規定するように、図１および７〜９に見られるように密封した構成で蓋１４の形成を可能にするように協動する。密封した蓋の切妻型の蓋部分４０ａおよび４０ｂは直線的に配置され、端部と端部とが互いに当接する関係になり、横方向の蓋部分３８ａおよび３８ｂは互いに直線的に配置され、切妻型の蓋部分４０ａおよび４０ｂの両側に当接する。図示するように、横方向の蓋部分３８ａは、切妻型の蓋部分４０ａおよび４０ｂの両方と、その一方の側で当接し、横方向の蓋部分３８ｂは、切妻型の蓋部分４０ａおよび４０ｂの両方と、その両側で当接する。従って、密封した構成の完全性が、切妻型の部分および横方向の部分の対応する配置によって維持される。
【００２０】
本明細書で使用する場合、用語「実質的に横方向」は、蓋部分３８ａおよび３８ｂが、側壁１２に対してほぼ横方向に位置することを意味すると理解される。従って、蓋部分３８ａおよび３８ｂは、いくらかの湾曲した表面または平面を有することができるが、蓋１４が容器１０を実質的に囲むように組み立てられる場合、各々の蓋は側壁１２に対してほぼ横方向にある。用語「実質的に切妻型」は、蓋部分４０ａおよび４０ｂがほぼ三角形の高くなった部分を含むことを意味すると理解される。
【００２１】
折り目部分３２ａ〜３２ｆは、ブランク１６ならびにブランク１６の側端２６および２８の長さに実質的に平行に方向付けられる。各々の折り目部分３２ａ〜３２ｆは、上縁２４から横方向の折り目部分３４ａ〜３４ｆの１つとの交差部まで延びる。折り目部分３２ａ〜３２ｆは、好ましくは、ブランク１６に形成される実質的に直線状の折り目部分または折り目であり、その折り目は、折り目部分がブランク１６の隣接する材料部分の外側に方向付けられるように作製される。
【００２２】
折り目部分３４ａ〜３４ｆは、ブランク１６ならびにブランク１６の底縁２２および上縁２４の幅に対して実質的に平行に方向付けられる。折り目部分３４ａ〜３４ｆは、ブランク１６の上縁２４の部分が容器１０の中心に対してほぼ広がるように形成される。示すように、部分３４ａ〜３４ｆは、ほぼ波形または弓形の折り目であるが、それらはまた、直線状の折り目であってもよいことは理解される。弓形の折り目の使用は、蓋１４に対してさらなる美的外観の特性を与え、部分３４ａ〜３４ｆが蓋１４上にほぼ湾曲した表面４２および４４も与えるために好ましく、容器１０が飲料カップとして役立つ場合、使用者の口に対して快適な表面を与えることが観察されている。これに関して、容器１０から飲み物を飲みやすくするための１つまたは両方の表面４２または４４上にスロットまたは開口部４６を規定するために取り除くことができる穴を開けた位置を与えることが望まれる。さらに、穴を開けた位置は、ストローなどを受容するように構成される開口部４８を規定するように与えられてもよい。
【００２３】
折り目部分３６ａ〜３６ｈは、各々好ましくは、上縁２４から横方向の折り目部分３４ａ〜３４ｆの２つと長手方向の折り目部分３２ａ〜３２ｆの１つとの交差部まで対角線上に延びるように方向付けられる直線状の折り目である。例えば、部分３６ａは、横方向の部分３４ａおよび３４ｂと長手方向部分３２ａとの交差部まで約４５度の角度で対角線上に延びる。図示（図２）するように、密封部１４は、折り目部分３２ａ〜３２ｆのうち、少なくとも一対の隣接し、間隔を空けている折り目部分３２ａ〜３２ｆの間に折り目部分３６ａ〜３６ｈをいずれも有さない。例えば、対角線の折り目部分は、一対の隣接し、間隔を空けた折り目部分３２ｃと３２ｄとの間に位置せず、横方向の蓋部分３８ｂの形成を可能にする。
【００２４】
図３を参照して、ブランク２０は、ブランク１６の形態で折り畳み可能なシート材料から構成される１枚のブランクである。ブランク２０は、円形部５０から外側に延びる複数のタブ５２を有する実質的に円形部５０を含む。容器１０の製造において、ブランク２０はブランク１６と結合して、図４に示すように開口上部の構成に与えられるように容器１０を形成し、容器内への内容物の充填を容易にする容器１０の内部に対する、実質的に開口の経路を与える。また、図４の開口上部の構成における容器１０は、例えば小売店またはファストフードの環境において配送、保管、および販売のために複数の同様の容器とともに容易に積み重ねられ得る。
【００２５】
容器１０を使用するために、使用者は図４の開口構成において容器を得て、開口経路を通して飲み物などの所望の物質で容器を充填する。これに関して、容器１０は、望ましくは、蓋１４と協動する容器１０の所望の満杯レベルを示すように、破線５４によって示される満杯ラインなどの印を備えてもよい。次に、容器１０は、部分３２ａ〜３２ｆ、３４ａ〜３４ｆおよび３６ａ〜３６ｈを折り畳むように図５〜８に示すように構成されて、図１および７〜９に示すように閉じた方向に蓋１４を形成し、蓋部分３８ａ〜３８ｂおよび４０ａ〜４０ｂを形成する。
【００２６】
ここで図５〜８を参照して、蓋１４を形成する工程が示される。図５で開始して、シート材料は、最初に折り目をつけられるか、または折り目線３２ｂおよび３２ｅの周りで折り畳まれて、折り目線３２ｂおよび３２ｅのそれぞれ両側のシート材料の隣接する三角形部分によって形成される三角形部分５４および５６を規定する。
【００２７】
次に、図６に示すように、各々の三角形部分５４および５６の側は一緒に作用し、圧力が付与されて、容器１０の中心に対する方向において互いに対して三角形部分５４および５６が折り畳まれる。三角形部分５４および５６が互いの方向に対して作用する場合、折り畳みが、図７に示す点まで残っている折り目部分に沿って生じ、三角形部分５４および５６の各々の下方の角は互いに隣接する。
【００２８】
次に、図８に示すように、三角形部分５４および５６は、最も内側の端部５４ａおよび５６ａのそれぞれが互いに支え合うまでさらに作用し、切妻型の蓋部分４０ａおよび４０ｂを形成するために、容器１０の長手方向軸Ｌに沿って実質的に直線状に配置され（図９）、横方向の蓋部分３８ａおよび３８ｂは、蓋１４を密封した状態にするように同時に形成される（図１０）。従って、密封した蓋の切妻型の蓋部分４０ａおよび４０ｂは直線状に配置され、端部と端部とが互いに当接する関係になり、横方向の蓋部分３８ａおよび３８ｄは互いに直線状に配置され、切妻型の蓋部分４０ａおよび４０ｂの両側に当接する。
【００２９】
当接する横方向の蓋部分３８ａおよび３８ｂによって強化される端部５４ａおよび５６ａの摩擦による端部と端部との接触面は、容器１０が握り締められるか、ひっくり返されるか、または落とされる場合でさえ、密封した状態に蓋１４を維持するのに役立ち、同様の条件下での従来の容器の蓋と比較して漏れまたは流出に対する耐性が非常に向上される。例えば、容器１０が落とされて、地面に転がると、容器が実質的に蓋１４の結合部まで満たされている場合、いくらか少しの漏れが起こり得る。しかしながら、蓋１４は通常、実質的にそのままを維持し、満杯の状態より少ない場合において、非常に少しの流出しか生じないことが観察される。なぜなら、結合部は蓋１４の中心に近接して位置するからである。反対に、理解されるように、従来の蓋は、容器の周辺に取り付けられ、容器は握り締められ、落とされ、ひっくり返されると、次いで、蓋の取り付けが、周辺付近のいずれかの点で分解され、漏れがそのような位置で容易に生じ、蓋は通常、完全に外れて落ち、遮断されずにこぼれてしまう。
【００３０】
（図１１〜１３）
図１１〜１３を参照して、側壁６２、折り畳み式密封部すなわち蓋６４、および快適なスリーブ６６を有する容器６０が示される。側壁６２および蓋６４は、容器１０に関連して記載されている側壁１２および蓋１４と実質的に同一である。スリーブ６６は完全に独立しており、図１２に示すように側壁６２の周囲にはめ込まれ得る。しかしながら、好ましい実施形態において、側壁６２、蓋６４およびスリーブ６６は、各々、１枚のブランク６８から形成される（図１３）。容器６０は、容器１０と関連して記載されるようにカップとして構成されることが示されるが、さらに容器６０は同様の異なる構成を有してもよい。
【００３１】
図１２を参照して、スリーブ６６は、容器１０と関連して記載されるように側壁６２および蓋６４と同じ材料から製造され、紙カップの製造において従来的に使用される種類の紙板材料、プラスチックカップを製造するのに使用される種類のプラスチックなどの折り畳み可能なシート材料である。このスリーブ６６は、有利には、側壁６２から熱的に分離され、スリーブ６６の外面を使用者にとっての快適な温度に維持するために空気循環を促進する保持面を与える。
【００３２】
スリーブ６６は、側壁６２の一部を実質的に囲むように構成される。スリーブ６６は、好ましくは、側壁６２を完全に取り囲むが、側壁６２を部分的にのみ取り囲んでもよい。これに関して、スリーブ６６は、十分な側壁６２の保護を与えるように寸法決めされ、その結果、使用者の手のひらが容器６０を把持する場合、スリーブ６６は、側壁６２を把持することによって得られるものと比べて、使用者にとってより良い快適性で把持される。例えば、容器６０は、熱いまたは冷たい飲み物を含むことができるカップとして構成され、使用者が側壁６２を把持すると、飲み物の熱さまたは冷たさは使用者の手のひらによって直に感じられ、不快感をもたらす場合がある。
【００３３】
使用者に起因する望まれる快適性を与えるために、スリーブ６６は、容器６０に取り付けられる場合、側壁６２から間隔を空けて、側壁６２とスリーブ６６との間の空間で空気の流れを促進させるように構造化される。これに関して、スリーブ６６は、関連する埋め合わせすなわちスペーサー７２を各々有する複数の通気開口部７０を含むように構成され、その結果、通気開口部７０の各々は、所望の通気特性を与えるように通気開口部７０と協動するための十分な間隔を与えるように側壁６２から所望の距離の間隔を空けられる。
【００３４】
通気開口部７０は単一の形状であってもよいか、または異なる形状であってもよく、通気開口部の各々は、十分に小さいように寸法決めされることが好ましく、それによって、使用者の皮膚は開口部を通過せず、側壁６２と接触する可能性はない。示されるように、美的に見栄えのよい外観を与えるように通気開口部７０を構成および配置することもまた望まれる。例の目的のために、通気開口部７０は、三角形、三日月形、正方形、星形などとして構成されてもよい。これに関して、開口部７０は、好ましくは、所望の開口形状を型抜きすることによって形成され、型抜きされた形状の一部は、スペーサー７２を与えるように取り付けられたままである。この好ましい構造物により、廃棄物が減少し、経済的な望まれる構造を提供する。
【００３５】
例えば、図１２に示されるような通気開口部７０は、Ｄ形の開口部として開口部７０を型抜きすることによって与えられ、型抜き材料を折り重ねることでスペーサー７２が与えられる。Ｄ形の開口部は、約１／４インチ（約０．６３５ｃｍ）〜約１／２インチ（約１．２７ｃｍ）の最も大きな寸法を有し、型抜きされた材料によって与えられるスペーサー７２は、容器６０の側壁６２から約１／１６インチ（約０．１５８７５ｃｍ）〜約３／１６インチ（約０．４７６２５）でスリーブ６６の外面と間隔が空いている。スペーサー７２として型抜きされた材料を利用するこの配置構成はまた、通気開口部７０の各々が、スペーサー７２の１つとともに与えられるという点で利点があり、その結果、スリーブ６６は、側壁６２から均一に間隔を空けられる。この配置構成はまた、側壁６２、蓋６４およびスリーブ６６が単一のブランク６８において一緒に与えられることができるという点で利点がある。
【００３６】
図１３を参照して、ブランク６８は、そのブランク６８が、スリーブ６６を与えるように構成される延長部７４をさらに含むことを除いて、上記のブランク１６と実質的に同様である。容器６０を与えるために、ブランク６８は、容器１０を提供することに関するブランク１６について記載される上記と同じ方法で操作され、底部のブランク２０と結合されてもよい。しかしながら、さらに、延長部７４は、組み立てられた側壁６２の周りに包まれ、接着剤の使用によって側壁６２自体または側壁６２の一部に固定される。ブランク６８は、自動容器製造機械の使用によって同様に容器６０に組み立てられてもよい。
【００３７】
理解されるように、スリーブ６６は改良された構造物を与え、使用者に不快となり得る熱いまたは冷たいスポットを回避する。さらに、カップの側壁、折り畳み式密封部、およびスリーブを備えるブランクを有することは、別の在庫を維持するための必要性を回避し、保存および輸送を簡単にし、紙板または再利用可能なプラスチックなどの単一の再利用可能な材料から製造され得る均一の構造を与える。
【００３８】
本開示についての好ましい実施形態の上述の詳細は、例示および説明の目的のために示される。開示される正確な形態に本開示を一致させるか、または制限することを意図するものではない。明らかな改変または変更が上記の技術を考慮して可能である。実施形態は、本開示およびその実際の適用の原理の最適な例示を与えるために選択され、記載されており、従って、当業者は種々の実施形態における開示を利用でき、種々の変更を意図される特定の用途に適合する。全てのそのような改変および変更は、適正に、合法的に、および公平に権利を与えられる広さに従って解釈される場合、添付の特許請求の範囲によって規定されるように本開示の範囲内である。
【図１】
2011518083.tif 000003
【図２】
2011518083.tif 000004
【図３】
2011518083.tif 000005
【図４】
2011518083.tif 000006
【図５】
2011518083.tif 000007
【図６】
2011518083.tif 000008
【図７】
2011518083.tif 000009
【図８】
2011518083.tif 000010
【図９】
2011518083.tif 000011
【図１０】
2011518083.tif 000012
【図１１】
2011518083.tif 000013
【図１２】
2011518083.tif 000014
【図１３】
2011518083.tif 000015
【国際調査報告】
2011518083.tif 000016